(57)【特許請求の範囲】
【請求項１】
車両の長手方向に沿って壁際に配設されたロングシートを備える鉄道車両において、
前記車両の側面出入口付近のロングシート端部に、当該ロングシート中央側から端部側に向かう所定の加速度を越える衝撃を受けた場合に、このロングシートに座る乗客が袖仕切りユニットから受ける反力を軽減するため、袖仕切りユニットが、ロングシートの取付金具に対して、スライド手段によりスライド可能に設けられていること、及び、スライド手段は、フランジを有するボルトとナットと座屈部材で構成され、前記袖仕切りユニットが、袖仕切りユニットのスライドに伴い、取付金具内に配置した座屈部材が座屈することで衝撃を吸収する構成に配置されてなることを特徴とする鉄道車両。
【請求項２】
車両の長手方向に沿って壁際に配設されたロングシートを備える鉄道車両において、
前記車両の側面出入口付近のロングシート端部に、当該ロングシート中央側から端部側に向かう所定の加速度を越える衝撃を受けた場合に、このロングシートに座る乗客が袖仕切りユニットから受ける反力を軽減するため、2枚の化粧板を一定の間隔で形成した袖仕切りユニットとロングシートの取付金具とをスライド可能に両端部にフランジを有するボルトと二つの磁石とで連結して構成し、
該車両の長手方向に沿って壁際に配設されたロングシートを備え、かつ該ロングシート端部に、このロングシートに座る乗客が袖仕切りユニットから受ける反力を軽減するため,
2枚の化粧板を一定の間隔で形成した袖仕切りユニットとロングシートの取付金具とを、前記両磁石が吸着し合ように構成し、
前記フランジを有するボルトと、前記袖仕切りユニットが前記ロングシート中央側から端部側に向かう所定の加速度を超える衝撃を受けた場合にロングシート長手方向に設けられた二つの磁石が分離するような袖仕切りユニットが配置されてなることを特徴とする鉄道車両。
【請求項３】
車両の長手方向に沿って壁際に配設されたロングシートを備える鉄道車両において、
前記車両の側面出入口付近のロングシート端部に、当該ロングシート中央側から端部側に向かう所定の加速度を越える衝撃を受けた場合に、このロングシートに座る乗客が袖仕切りから受ける反力を軽減するため、2枚の化粧板を一定の間隔で形成した袖仕切りユニットとロングシートの取付金具とを両端にフランジを有するボルトで連結すると共に該フランジを有するボルトで前記袖仕切りユニットを該袖仕切りユニットとロングシートの取付金具とを接触させることによりスライド可能に連結し、ロングシートの座部と取付金具、との間に凹部を形成し、該凹部内に、接触面に凹凸部を有する面ファスナを設けると共に、一方の面ファスナは袖仕切りユニットに固定されたL字型の金具の横部分に固定し、他方の面ファスナは取付金具の上に固定し、前記ロングシート中央側から端部側に向かう所定の加速度を越える衝撃を受けた場合に、前記袖仕切りユニットと前記取付金具との間にロングシート長手方向外側に向けて、他方の面ファスナに対して、一方の面ファスナがスライド方向に沿って移動する面ファスナを配置してなることを特徴とする鉄道車両
【発明の詳細な説明】
【技術分野】
【０００１】
本発明は、万一の列車衝突時や急停車時、脱線時等に乗客が受ける衝撃を緩和すること
のできる鉄道車両に関する。
【背景技術】
【０００２】
鉄道車両においては、腰掛が車両の長手方向に沿ったロングシートとして構成されてい
る場合がある。このロングシートの長手方向の端部には、図６に示すように、車両の側出
入口および通路と、ロングシート（腰掛）１０との間を仕切る袖仕切り１１が設置されて
いる（例えば、特許文献１等を参照）。
【０００３】
ところで、平成１７年４月２５日に発生したＪＲ西日本「福知山線塚口駅〜尼崎駅間の
列車脱線事故」に関する国土交通省−航空・鉄道事故調査委員会の報告（平成１９年６月
２８日付け）によって、『そで仕切り（肘掛け）や手すり等で身体を支えることが、人的
被害の軽減に効果があった』可能性が指摘されており、その「３．１１  サバイバルファ
クターに関する解析」において、『・・・ロングシートについては、その端部以外にもそ
で仕切り（肘掛け）や手すり等、身体を支える設備を設けることが望ましい。・・・』と
されている。
【０００４】
また特に、「そで（袖）仕切り」は、『・・・例えば、ロングシート端部の管状の手す
りを板状の仕切りにするなど、可能な限り、乗客が衝突した際に身体の一部に衝撃力が集
中しにくい形状、材質とするべきである。』と勧告されている（例えば、特許文献２〜３
等を参照。）。
【０００５】
そこで、これら鉄道事故調査委員会の報告内容に沿うべく、今後製造される新造の鉄道
車両の場合は、設計の初期段階から、袖仕切りの大型化や弾性構造の採用等、「衝突時の
衝撃」を緩和する構成が検討・導入され始めている。
【特許文献１】実開平４−４６９３６号公報
【特許文献２】特開２００４−２１６５７１号公報
【特許文献３】特開２００４−４２８０７号公報
【発明の開示】
【発明が解決しようとする課題】
【０００６】
しかしながら、このように袖仕切りを大型化したり、袖仕切り自身に弾性を持たせる構
成は、構造が複雑化するとともに、特に既存車両に適用するには、取付けスペースやコス
トの関係で難しい場合がある。
【０００７】
また、鉄道車両の使用目的や編成によっては、車両長手方向の視界や車両内の意匠性が
重視されるため、大型の袖仕切りを採用するのが難しい場合もある。
【０００８】
本発明は、上記する課題に対処するためになされたものであり、車両長手方向の視界や
車両内の意匠性を低下させることなく、既存の車両であっても、衝突時の安全性を容易に
向上させることのできる鉄道車両を提供することを目的としている。
【課題を解決するための手段】
【０００９】
上記課題を解決するために、請求項１の発明は、車両の長手方向に沿って壁際に配設されたロングシート（１０）を備える鉄道車両において、車両の長手方向に沿って壁際に配設されたロングシートを備える鉄道車両において、前記車両の側面出入口付近のロングシート端部に、当該ロングシート中央側から端部側に向かう所定の加速度を越える衝撃を受けた場合に、このロングシートに座る乗客が袖仕切りユニットから受ける反力を軽減するため、袖仕切りユニットが、ロングシートの取付金具に対して、スライド手段によりスライド可能に設けられていること、及び、スライド手段は、フランジを有するボルトとナットと座屈部材で構成され、前記袖仕切りユニットが、袖仕切りユニットのスライドに伴い、取付金具内に配置した座屈部材が座屈することで衝撃を吸収する構成に配置されてなることを特徴とするものである。
【００１０】
また、請求項２に記載の発明は、車両の長手方向に沿って壁際に配設されたロングシート（１０）を備える鉄道車両において、前記車両の側面出入口付近のロングシート端部に、当該ロングシート中央側から端部側に向かう所定の加速度を越える衝撃を受けた場合に、このロングシート（１０）に座る乗客が袖仕切りユニット（４）から受ける反力を軽減するため、2枚の化粧板を一定の間隔で形成した袖仕切りユニット（４）とロングシート（１０）の取付金具（１０ｂ）とをスライド可能に両端部にフランジを有するボルト（４ａ）と2つの磁石とで連結して構成し、
該車両の長手方向に沿って壁際に配設されたロングシートを備え、かつ該ロングシート端部に、このロングシート（１０）に座る乗客が袖仕切りユニット（４）から受ける反力を軽減するため、2枚の化粧板を一定の間隔で形成した袖仕切りユニット（４）とロングシートの取付金具（１０ｂ）とを、前記両磁石（４ｂ、４ｃ）が吸着し合ように構成し、
前記フランジを有するボルト（４ａ）と、前記袖仕切りユニット（４）が前記ロングシート中央側から端部側に向かう所定の加速度を超える衝撃を受けた場合にロングシート長手方向に設けられた二つの磁石（４ｂ、４ｃ）が分離するような袖仕切りユニットが配置されてなることを特徴とするものである。
【００１１】
また、請求項３に記載の発明は、車両の長手方向に沿って壁際に配設されたロングシート（１０）を備える鉄道車両において、
前記車両の側面出入口付近のロングシート端部に、当該ロングシート中央側から端部側に向かう所定の加速度を越える衝撃を受けた場合に、このロングシートに座る乗客が袖仕切りから受ける反力を軽減するため、2枚の化粧板を一定の間隔で形成した袖仕切りユニットとロングシートの取付金具とを両端にフランジを有するボルトで連結すると共に該フランジを有するボルトで前記袖仕切りユニットを該袖仕切りユニットとロングシートの取付金具とを接触させることにより不動状態に連結し、ロングシートの座部と取付金具との間に凹部を形成し、該凹部内に接触側にそれぞれが接触面に凹凸部を有する面ファスナを設けると共に取付金具の凹部に配置し、一方の面ファスナはL字型の金具の横部分に固定し、縦部分は前記袖仕切りユニット側に固定し、他方の面ファスナは取付金具の上に固定し、前記ロングシート中央側から端部側に向かう所定の加速度を越える衝撃を受けた場合に、前記袖仕切りユニットと前記取付金具との間に乗客に接する部位をロングシート長手方向外側に向けて一方の面ファスナと他方の面ファスナとが反対方向に移動する面ファスナを配置してなることを特徴とするものである。
【００１２】
本発明は、車両の長手方向に沿って壁際に配設されたロングシート（１０）を備える鉄道車両において、ロングシートの車両長手方向端部に配設される袖仕切りに、列車衝突時などの乗客の身体の急激な横移動により発生する衝撃荷重を、腰掛外側方向に逃がす「衝撃吸収手段」を設けることにより、ロングシートに着席している乗客の安全性を高めようとするものである。
【発明の効果】
【００１３】
すなわち、請求項１に記載の発明によれば、車両の側面出入口付近のロングシート端部
に、このロングシートの長手方向に（中央側から端部側に向けて）発生する衝撃荷重を吸
収・緩和する衝撃吸収袖仕切りを配設することにより、車両の衝突や急減速等に起因する
過大な衝撃が生じた場合でも、ロングシートに座る乗客が袖仕切りに衝突して発生する怪
我や傷害を最小限に抑えることができる。従って、本発明の鉄道車両は、袖仕切りを大型
化させることなく、既存の車両であっても、衝突時の安全性を容易に向上させることが可
能になる。
【００１４】
また、同じく、前記衝撃吸収ユニットの袖仕切りの具体的構造として、前記ロングシート中央部から端部がわに向かう所定の加速度を越える衝撃を受けた場合に、乗客に接する部位をロングシート長手方向に向けて変位させる変位手段を備える構成を採用させても良い。
【００１５】
また、同じく、前記衝撃吸収袖仕切り具体的構造として、前記ロングシート中央側から
端部側に向かう所定の加速度を越える衝撃を受けた場合に、乗客に接する部位をロングシートの長手方向外側に向けて変位させる変形手段を採用しても良い。
【００１６】
の構成によって
これらの変形手段は、袖仕切りにおけるロングシートへの取り付け部（固定部）に改良を加えず、その基部を固定したままで、腰掛（着座）より上方に位置して乗客接にする肘掛部位の変形・変位により、乗客にかかる衝撃荷重を軽減しようとするものであり、以上の構成によって、車両の衝突や急減速等に起因する衝撃が生じた場合でもロングシートに座る乗客が袖仕切りに衝突することにより発生する怪我や障害を最小限に抑えることができる。
【００１７】
なお、前記衝撃吸収袖仕切りの構成として、衝突等による衝撃が所定の加速度未満の場合に、前記衝撃吸収袖仕切りの変形手段の作動を抑制する変形抑制手段を備えることが望ましい。
【００１８】
この変形抑制手段は、車両の加速・減速等による所定の加速度未満の荷重によって、前記衝撃吸収袖仕切りが誤作動するのを防止するための構成であり、以上の構成によって、衝突時等以外の通常の運行時における前記変形手段の不用意な作動を防止することができる。
【００１９】
なお、この変形抑制手段は、荷重に応じてパラレルに作動する手段ではなく、ある一定以上の荷重を受けた場合にのみ作動する、いわゆるリミッターとしての概念である。従って、所定の加速度を超えた場合にのみ座屈する座屈部材等を用いる構成などは包含するが、ばね等の弾性部材を用いる構造のように、荷重に応じて漸次変形する構成は包含しない。
【００２０】
一方、袖仕切りにおけるロングシート（１０）への取り付け部（固定部）に改良を加え
、この取り付け部を含めた袖仕切り全体で衝撃吸収・緩和する具体的構成として、前記衝撃吸収袖仕切りにおける前記ロングシートへの取り付け部に、この袖仕切り全体を車両長手方向に沿って移動させるスライド手段を設けるとともに、前記所定の加速度以下の荷重では前記袖仕切りの移動を制限し、前記所定の加速度を超える荷重を受けた場合にのみ解除されるスライド制限手段を設ける構成を好適に採用することができる。
【００２１】
以上の構成によっても、この袖仕切りがロングシートに座る乗客が袖仕切りに衝突した場合の衝撃を吸収・緩和し、この衝撃による乗客の怪我や障害を軽減することができる。
【００２２】
なお、このスライド制限手段も、前記変形抑制手段と同様、荷重に応じてパラレルに作動する手段ではなく、ある一定以上の荷重を受けた場合にのみ作動する、いわゆるリミッターとしての概念である。従って、ばね等の弾性部材を用いた構成のように、荷重に応じて漸次変形する構成は包含しない。
【００２３】
以上のように、本発明の鉄道車両によれば、車両長手方向の視界や車両内の意匠性を低下させることなく、ロングシート（１０）に腰掛ける乗客の衝突時等における安全性を向上させることができる。また、本発明の構成は、既存の鉄道車両にも容易に適用することが可能である。
【図面の簡単な説明】
【００２４】
【図１】本発明の参考例とした実施形態における鉄道車両の袖仕切りの構成を示す図であり、（○）は衝撃を受ける前の通常の状態を、（○）は衝撃を受けた後の変形状態を示す図である。
【図２】本発明の参考例とした別の実施形態における鉄道車両の袖仕切りの構成を示す図であり、（ａ）は衝撃を受ける前の通常の状態を、（ｂ）は衝撃を受けた後の変形状態を示す図である。
【図３】本発明の第１実施形態における鉄道車両の袖仕切りの構成を示す図であり、（ａ）は衝撃を受ける前の通常の状態を、（ｂ）は衝撃を受けた後の変位状態を示す図である。
【図４】本発明の第２実施形態におけう鉄道車両の袖仕切りの構成を示す図であり、（ａ）は衝撃を受ける前の通常の状態を、（ｂ）は衝撃を受けた後の変位状態を示す図である。
【図５】本発明の第３実施形態における鉄道車両の袖仕切りの構成を示す図であり、（ａ）は衝撃を受ける前の通常の状態を、（ｂ）は衝撃を受けた後の変位状態を示す図である。
【図６】鉄道車両におけるロングシートおよび袖仕切りの構成例を示す斜視図である。
【発明を実施するための最良の形態】
【００２５】
以下、図面を参照しつつこの発明を実施するための形態について説明する。
図３から図５は、本発明の実施形態における鉄道車両のロングシート端部に配設された袖仕切りユニットの内部構造を示す概略構成図である。ただし、図１と図２は本発明の参考例として説明する。
【００２６】
これらの実施形態における鉄道車両の袖仕切りユニット１が、図６の従来例に示すように、客車の壁際に配設された、ロングシート（１０）の長手方向の端部（車両の側面出入口近傍）に取り付けられている。そして、通常、ロングシート（１０）の座部１０ａの下部に設けられた取付金具として、ボルトなどを用いて固定されている。なお、各図面は、これらロングシート１０と、車両出入口近傍に袖仕切りユニットとを車内中央側から見た図であり、ロングシートの座部１０ａの背面にある背もたれ部は図示を省略している。また、図中左側が腰掛（ロングシート）側、図中右側が出入口側として説明する。
【００２７】
まず、図１（ａ）は、この例における袖仕切り（袖仕切りユニット１）は、２枚の化粧言板（腰掛側側板１ａおよび出入口側側板１ｂ）と、これら側板（化粧板）１ａ、１ｂを袖仕切りユニットの内部で一定の間隔に支持する金属製の骨組み１ｃとを主体として構成されている。
【００２８】
また、この袖仕切りユニット１は、ロングシートの座部１０ａより下方に位置する骨組
み１ｃの一部を、座部１０ａの下側に設けられた取付基台（取付金具１０ｂ）にボルトを
用いて取り付けることにより、ロングシート端部の所定位置に固定されている。
【００２９】
鉄道車両の袖仕切りユニット１の特徴は、側板１ａ，１ｂを支持する骨組み１ｃの出入口側（側板１ｂ側）中央寄りに、腰掛側（側板１ａ側）に加わる荷重による側板１ａ，１ｂの変形を許容する空間Ｓが設けられている点である（変形手段）。
また、骨組み１ｃに設けられた空間Ｓ内には、腰掛側にかかる荷重が所定の値未満の場合に、この空間Ｓを構成する骨組み１ｃの上下部材間に突っ張るようにして、前述の側板１ａ，１ｂの変形を阻止する座屈部材１ｄが配設されている。
【００３０】
この座屈部材１ｄは、中央部に狭窄部位を持つ略ダンベル形状であり、その長手方向に
所定の加速度以上の荷重がかかった場合に、長手方向の長さを縮めながら座屈するように
設計されている。
【００３１】
従って、車両の衝突や急減速等によりロングシートに腰掛ける乗客が袖仕切りに衝突あるいは寄りかかって、この座屈部材１ｄに前記所定の加速度を超える荷重が加わった時は、座屈部材１ｄが座屈を開始し、出入口側（側板１ｂ側）の骨組み１ｃ内に設けられた空間Ｓが縮小することにより、側板１ａおよび側板１ｂがロングシート端部外側方向（出入口側）に向けて屈曲あるいは湾曲することとなる。
【００３２】
図２は、鉄道車両の袖仕切りユニット２の構成を示す図であり、この例にお
ける袖仕切りユニット２は、ロングシートの座部１０ａより下方に位置してボルトによりロングシート１０端部の所定位置に固定される取付部２ｂと、可動部２ｃと間に空間を有すると共に、座屈部材２ｄを配置し、袖仕切りユニット２に荷重がかかると可動部材２ｃが移動し、袖仕切りユニット内に配置された座屈部材２ｄが座屈してロングシートから長手方向の荷重が軽減される。
【００３３】
この実施形態の袖仕切りユニット２が前記の袖仕切りユニット１と異なる点は、可動部２ｃが固定部２ｂ側（出入口側）にスライドすることによって、腰掛側（可動部２ｃ側）に加わる荷重を吸収・緩和するように構成されている点である。このように、これら可動部２ｃと固定部２ｂとの間には、第１の実施形態の袖仕切りユニット１同様、腰掛側にかかる荷重が所定の値未満の場合に、可動部２ｃ−固定部２ｂ間に突っ張るようにして、前述の可動部２ｃのスライドを阻止する座屈部材２ｄ，２ｄが配設されている。
【００３４】
以上の構成によっても、車両の衝突や急減速等によりロングシート１０に腰掛ける乗客が袖仕切りユニット２に衝突あるいは寄りかかって、この腰掛側可動部２ｃに所定の加速度を超える荷重が加わった時は、座屈部材２ｄ，２ｄが座屈を開始し、可動部２ｃ−固定部２ｂ間の距離が縮まることによって、乗客が袖仕切りに衝突して発生する反力を吸収・緩和することができるとともに、乗客の怪我や傷害を軽減することができる。
【００３５】
次に、本発明の第１の実施形態について説明する。
図３は、本発明の第１実施形態における鉄道車両の袖仕切りユニット３の構成を示す図である。
【００３６】
本実施形態における袖仕切りユニット３は、従来品と同様、２枚の化粧板と、これら化
粧板を一定の間隔で支持する金属製の骨組みとを主体として構成されている。なお、袖仕
切りユニット３の構成や内部構造等は、従来例と同様であるので、図示を簡略化するとと
もに、その詳細な説明を省略する。
【００３７】
本発明の第１実施例では、車両の側面出入口付近のロングシート１０の端部に、当該ロングシート１０の中央側から端部側に向かう所定の加速度を越える衝撃を受けた場合に、このロングシート１０に座る乗客が袖仕切りから受ける反力を軽減するため、2枚の化粧板を一定の間隔で形成した袖仕切りユニット３とロングシートとをスライド可能にフランジを有するボルト３ａとナット（３ｂ、３ｃ）で構成する。そして、前記衝撃吸収取付袖仕切り１１が、前記ロングシート中央側から端部側に向かう所定の加速度を越える衝撃を受けた場合に、前記袖仕切りユニット３と前記取付基台１０ｂとの間に乗客に接する部位をロングシート長手方向外側に向けて座屈する2つの座屈部材（３ｄ、３ｄ）を配置して衝撃吸収仕切りを配置する。
【００３８】
この第１実施形態における袖仕切りユニット３の特徴は、袖仕切りにおけるロングシート１０金具取り付け部に、この袖仕切り全体を車両長手方向に沿って移動させるスライド手段が設けられているとともに、所定の加速度以下の荷重では袖仕切りユニットの移動を制限し、かつ、所定の加速度を越える荷重を受けた場合にのみ解除されるスライド制限手段が設けられている点である。
【００３９】
本実施形態においては、袖仕切りをスライドさせる手段として、袖仕切りユニット３及びロングシートの座部１０ａの下部に位置する取付金具（１０ｂ）の同じ位置に設けられた穴を挿通して配設されたボルト３ａと、この取付ボルト３ａに取り付けられた袖仕切りユニット３を該取付ボルト３ａの一端に固定するナット３ｂ，３ｃとからなるスライド機構が構成されている。
【００４０】
また、スライド制限手段として、図３（ａ）のように、取付ボルト３ａの他端に設けられたフランジ部と取付金具１０ｂの内側端面との間に、図２に示す実施形態と同様の座屈部材３ｄ，３ｄが配設されている。
【００４１】
以上の構成によっても、車両の衝突や急減速等によりロングシートに腰掛ける乗客が袖
仕切り１１に衝突あるいは寄りかかって、これら座屈部材３ｄに所定の加速度を超える荷重が加わった時は、座屈部材３ｄ，３ｄが座屈を開始し、袖仕切りユニット３がロングシート端部外側方向（出入口側）に向けて移動することによって、乗客が袖仕切りに衝突して発生する反力を吸収・緩和することができるとともに、乗客の怪我や傷害を軽減することができる。
【００４２】
なお、袖仕切りユニット３の取り付け時には、ナット３ｂの締め付けによって座屈部材３ｄが座屈してしまわないように注意を要する。また、取り付け時には、ナット３ｂを所定の加速度以下の荷重で締め付け、ナット３ｂ、３ｃとダブルナットとすることにより、走行中の振動等によるナットの緩みを防止している。
【００４３】
また、袖仕切りユニットがスライドにより脱落してしまうと、乗客の転倒等を招く恐れ
がある。従って、取付ボルト３ａの他端側には、本実施形態のようなフランジ部等を設け
ることが好ましい。
【００４４】
次に、本発明の第２の実施形態について説明する。
図４は、本発明の第２実施形態における鉄道車両の袖仕切りの構成を示す図である。な
お、図中の符号４は袖仕切りユニット、４ａは取付ピンを示す。
【００４５】
この実施形態における鉄道車両の袖仕切りが、第３実施形態と異なる点は、２つの磁性
体４ｂ，４ｃの磁力（吸着力）を利用したスライド制限手段が設けられている点である。
すなわち、前記の車両の長手方向に沿って壁際に配設されたロングシートを備え、かつロングシート端部に、当該ロングシート中央側から端部側に向かう所定の加速度を越える衝撃を受けた場合に、このロングシートに座る乗客が袖仕切りから受ける反力を軽減するため、二枚の化粧板を一定の間隔で形成した袖仕切りユニットとロングシートの取付基台と該取付基台とをスライド可能にフランジを有する一方を＋磁石とし他方を−磁石として構成し、前記フランジを有するボルトと、前記衝撃吸収取付袖仕切りが前記中央側から端部側に向かう所定の加速度を越える衝撃を受けた場合に、前記袖仕切りユニットと前記取付基台のフランジとの間に、ロングシート長手方向外側に向けて衝撃吸収袖仕切りユニットが配置されてなることを特徴とする。
【００４６】
この構成によっても、車両の衝突や急減速等によりロングシートに腰掛ける乗客が袖仕
切りに衝突あるいは寄りかかって、袖仕切りユニット４に所定の加速度を超える荷重が加
わった時は、これら磁性体４ｂと磁性体４ｃが離れ、袖仕切りがロングシート端部外側方
向（出入口側）に向けて移動することとなる。従って、本実施形態における鉄道車両の袖
仕切りも、乗客が袖仕切り１１に衝突して発生する反力を吸収・緩和することができるともに、乗客の怪我や傷害を軽減することができる。
【００４７】
なお、第２実施形態と同様、袖仕切りユニットがスライドにより脱落してしまうと、乗
客の転倒等を招く恐れがあるため、取付ピン４ａの両端部には、本実施形態のようなフラ
ンジ部等を設けることが好ましい。また、これら磁性体４ｂと磁性体４ｃとは、図４のように、一方を断面凹状、他方を断面凸状とすることが望ましい。このように一方と他方が
係合する形状を組み合わせることにより、磁力で接触している時は、磁力の作用する袖仕
切りユニットのスライド方向を含め、取付ピンに対してＸ，Ｙ，Ｚの三軸方向全ての動きを規制することができ、好適である。
【００４８】
次に、本発明の第３の実施形態について説明する。
図５は、本発明の第５実施形態における鉄道車両の袖仕切りの構成を示す図である。な
お、図中の符号５は袖仕切りユニット、５ａは取付ピンを示す。
【００４９】
この実施形態における鉄道車両の袖仕切りが、第１，第２の実施形態と異なる点は、１
対の面ファスナ５ｂ，５ｃの吸着力（ずれに対する抵抗力）を利用したスライド制限手段
が設けられている点である。なお、面ファスナ５ｂ，５ｃの形状や面積は、せん断方向に
所定の加速度以上の荷重を受けた場合に剥がれるように、適宜設定されている。
すなわち、  前記車両の側面出入口付近のロングシート１０端部に、当該ロングシート
中央側から端部側に向かう所定の加速度を越える衝撃を受けた場合に、このロングシート
に座る乗客が袖仕切りから受ける反力を軽減するため、二枚の化粧板を一定の間隔で形成
した袖仕切りユニットとロングシートの取付基台とを両端にフランジを有するボルト５ａ
で連結すると共に該フランジを有するボルト５ａで前記袖仕切りユニットを不動状態に連結し、ロングシート１０の座部と取付金具と間に凹部を形成し、該凹部内に接触側にそれぞれが接触面に凹凸面を有する面ファスナを設けると共に、一方の面ファスナはL字型の金具の横部分に固定し、縦部分は前記袖仕切りユニット側に固定し、他方の面ファスナは取付金具の上に固定し、前記ロングシート中央側から端部側に向かう所定の加速度を越える衝撃を受けた場合に、前記袖仕切りユニットと前記取付基台との間に乗客に接する部位をロングシート長手方向外側に向けて一方の面ファスナと他方の面ファスナとがそれぞれ反対方向に移動する面ファスナを配置してなることを特徴とするものである。
【００５０】
以上の構成によっても、車両の衝突や急減速等によりロングシートに腰掛ける乗客が袖仕切りに衝突あるいは寄りかかって、袖仕切りユニット５に所定の加速度を超える荷重が
加わった時は、そのせん断力によってこれら面ファスナ５ｂ，５ｃ同士の係合が離れ袖仕切りがロングシート端部外側方向（出入口側）に向けて移動することとなる。従って、本実施形態における鉄道車両の袖仕切りも、乗客が袖仕切りに衝突して発生する反力を
吸収・緩和することができるとともに、乗客の怪我や傷害を軽減することができる。
【００５１】
なお、以上の第１〜第３の実施形態においては、袖仕切り全体を車両長手方向に沿って
移動させるスライド手段と、この移動を制限するスライド制限手段の具体例を挙げたが、本発明における鉄道車両の衝撃吸収袖仕切りの構成は、これらの例に限定されるものでは
ない。スライド手段あるいはスライド制限手段として、その他の公知の方法を適用できる
ことは勿論である。
【符号の説明】
【００５２】
１  袖仕切りユニット
１ａ  腰掛側板    １ｂ  出入口側板    １ｃ  骨組み    １ｄ  座屈部材
２  袖仕切りユニット
２ａ  取付部    ２ｂ  固定部    ２ｃ  可動部    ２ｄ  座屈部材
３  袖仕切りユニット
３ａ  取付ボルト    ３ｂ，３ｃ  ナット    ３ｄ  座屈部材
４  袖仕切りユニット
４ａ  取付ピン    ４ｂ，４ｃ  磁性体
５  袖仕切りユニット
５ａ  取付ピン    ５ｂ，５ｃ  面ファスナ
１０  ロングシート（腰掛）
１０ａ  座部    １０ｂ  取付金具
１１  袖仕切り
【図１】
0005963072.tif 000002
【図２】
0005963072.tif 000003
【図３】
0005963072.tif 000004
【図４】
0005963072.tif 000005
【図５】
0005963072.tif 000006
【図６】
0005963072.tif 000007